(57)【要約】【課題】異物による詰まりを解消してパチンコ球の発射間欠を防止する。【解決手段】球通路２４は、球受皿２２の他端部から、球受皿２２の下方に位置する球送り装置２６へ向かって延びるように設けられた一対のガイドレール３１ａ，３１ｂからなる。ガイドレール３１ａ，３１ｂは、球受皿２２と球送り装置２６との間に位置し、パチンコ球２１の直径に合わせた間隔で互いに平行、且つ球受皿２２から送られてきたパチンコ球を球送り装置２６へ流下させる傾斜を持って配設されている。また、ガイドレール３１ａ，３１ｂの下方には、異物回収部材３２が設けられている。パチンコ球２１に付着していた異物がガイドレール３１ａ，３１ｂとの接触によって落下し、異物回収部材３２によって受け止められる。【選択図】図３
2009082218.tif 000002
【特許請求の範囲】
【請求項１】
遊技球を貯留する球受皿と、遊技球を遊技領域へ打ち出す打出し位置に向けて１球ずつ送り出す球送り装置と、前記球受皿から前記球送り装置に向かって配置された球通路を備えた遊技機において、
前記球通路は、前記遊技球を両側から支持することが可能な一定の隙間を置いて互いに平行に位置し、且つ前記球受皿から送られてきた前記遊技球を前記球送り装置へ流下させる傾斜を持って配置された一対の棒状部材からなり、前記棒状部材の下方に、前記棒状部材から落下する異物を受け止めて回収する異物回収部材を備えたことを特徴とするパチンコ機。
【請求項２】
前記一対の棒状部材は、前記遊技球を両側から支持することが可能な間隔で配置された通常位置と、前記通常位置よりも間隔を拡大した排出位置との間で移動自在に取り付けられたことを特徴とする請求項１記載のパチンコ機。
【請求項３】
前記一対の棒状部材は、前記遊技球の流下方向と略並行な中心軸のまわりに回転自在に取り付けられたことを特徴とする請求項１又は２記載のパチンコ機。
【発明の詳細な説明】
【技術分野】
【０００１】
本発明は、パチンコ店などの遊技場に設置されるパチンコ機に関するものである。
【背景技術】
【０００２】
パチンコ機では、遊技領域への打出し位置にパチンコ球を一個ずつ送り出すときや、賞球をカウントして払い出すときなど、パチンコ球を１列に整流して搬送することが必要であり、例えば特許文献１記載の賞球整流送出装置は、貯留タンクから、賞球の払い出しを行う賞球排出装置へパチンコ球を整流搬送するもので、２列の整流路と、これらの整流路に連結された１列の送出路と、回転爪車式の球送り整流部材とを備えており、整流路は、貯留タンクから送られてきたパチンコ球を受け入れて緩傾斜に沿って自然に流下させながら順次整列化し、球送り整流部材は、２列の整流路によって整列化されたパチンコ球を一球ずつ交互に送出路へと送り出す。これによって１列に整流されたパチンコ球が下流側の賞球排出装置に送り出される。
【特許文献１】実開平０５−２４５２５７号公報
【発明の開示】
【発明が解決しようとする課題】
【０００３】
このように、パチンコ球を一列に整列化して送り出すとき、パチンコ球に塵埃やゴミなどの異物が付着したまま流下されると、整流部材やガイドレールなどに異物が付着してパチンコ球の流れが悪くなることがある。特に、打出し位置にパチンコ球を送り込むときには、異物による詰まりが発生するとパチンコ球の発射が間欠状態になることがあった。
【０００４】
本発明は、上記事情を考慮してなされたものであり、遊技球に付着した塵埃や水分などの異物を取り除いて回収することを可能とするパチンコ機を提供することを目的とする。
【課題を解決するための手段】
【０００５】
上記目的を達成するために、本発明のパチンコ機は、遊技球を貯留する球受皿と、遊技球を遊技領域へ打ち出す打出し位置に向けて１球ずつ送り出す球送り装置と、前記球受皿から前記球送り装置に向かって配置された球通路を備えた遊技機において、前記球通路は、前記遊技球を両側から支持することが可能な一定の隙間を置いて互いに平行に位置し、且つ前記球受皿から送られてきた前記遊技球を前記球送り装置へ流下させる傾斜を持って配置された一対の棒状部材からなり、前記棒状部材の下方に、前記棒状部材から落下する異物を受け止めて回収する異物回収部材を備えたことを特徴とする。
【０００６】
なお、前記一対の棒状部材は、前記遊技球を両側から支持することが可能な間隔で配置された通常位置と、前記通常位置よりも間隔を拡大した排出位置との間で移動自在に取り付けられたことが好ましい。さらにまた、前記一対の棒状部材は、流下方向と略並行な中心軸のまわりに回転自在に取り付けられたことが好ましい。
【発明の効果】
【０００７】
本発明によれば、球受皿から球送り装置に向かって配置された球通路が、前記遊技球を両側から支持することが可能な一定の隙間を置いて互いに平行に位置し、且つ球受皿から送られてきた遊技球を球送り装置へ流下させる傾斜を持って配置された一対の棒状部材から構成され、且つ前記棒状部材の下方に、前記棒状部材から落下する異物を受け止めて回収する異物回収部材を備えているので、遊技球に付着した塵埃や水分などの異物を取り除いて回収することが可能となり、また、遊技球に異物が付着したまま球送り装置へ流下されることを防ぐことができる。
【発明を実施するための最良の形態】
【０００８】
図１に示すように、パチンコ機（遊技機）１は本体基部２を備えており、本体基部２の前面には上扉３と下扉４とからなる前面扉５が開閉自在に取り付けられている。また、本体基部２の裏面側には貯留タンク６が設けられている。上扉３には中央に扉開口７が形成され、裏面には扉開口７を覆うガラス扉８が上扉３に対して開閉自在に取り付けられている。上扉３の奥側には遊技盤９が設けられており、遊技盤９はガラス扉８を介して視認可能となっている。
【０００９】
遊技盤９の前面には図柄表示装置１０、始動入賞口（以下、「始動口」と称する）１１、通常入賞口（以下、「通常口」と称する）１２、アタッカ１３、アウト口１４が設けられている。なお詳しくは図示を省略するが遊技盤９の前面には遊技領域９ａが形成されている。遊技領域９ａには遊技釘や風車などが設けられている。
【００１０】
下扉４は、払出口２０から払い出されたパチンコ球（遊技媒体）２１や図示しない球貸し機から貸与を受けたパチンコ球２１を貯留する球受皿２２、及びパチンコ球２１を遊技領域９ａに打ち出すとともにその打ち出し強さを調節する発射ハンドル２３を備えている。
【００１１】
発射ハンドル２３が回動されると、球発射装置２８（図２参照）が作動されて遊技盤９の遊技領域９ａにパチンコ球が打ち出される。遊技領域９ａに打ち出されたパチンコ球２１は始動口１１、通常口１２、アウト口１４のいずれかに入る。アウト口１４に入ったパチンコ球はハズレと扱いとされパチンコ機１の背面側から排出される。始動口１１や通常口１２にパチンコ球が入賞すると規定個数の賞球の払い出しが行われる。また、始動口１１にパチンコ球が入賞すると当たり又はハズレを決定する当たり抽選が行われ、図柄表示装置１０が作動される。
【００１２】
図柄表示装置１０は例えば液晶パネルから構成される表示パネル２５を備えている。表示パネル２５では３個の図柄が並列に並べて表示されている。図柄は数字の「０」〜「９」を示す１０種類の図柄からなる。始動口１１にパチンコ球２１が入賞すると表示パネル２５ではこれらの図柄が変動表示され、変動表示された図柄が停止表示されたときの図柄の組み合わせによって当たり抽選の結果が当たり又はハズレのいずれであったかが表示される。同一の数字が３つ揃う図柄の組み合わせは当たりとなり、それ以外の組み合わせはハズレとなる。貯留タンク６の下方には賞球払出装置（図示せず）があり、貯留タンク６から賞球払出装置に供給されたパチンコ球２１が賞球として払出口２０から受皿２２に払い出される。
【００１３】
図２に示すように、球受皿２２の奥側には、後述する球通路２４が設けられている。球受皿２２に貯留されたパチンコ球２１は、球通路２４を通って球送り装置２６へ案内される。球送り装置２６は、パチンコ球２１を一球ずつ球発射装置２８の打出し位置へ投入する。球受皿２２は、払出口２０が位置する一端側から、球通路２４と連通する他端側へ向かって傾斜し、さらに他端側は、球通路２４に向かって徐々に間隔が狭まっており、転動するパチンコ球２１を球通路２４へ誘導する。
【００１４】
球送り装置２６、及び球発射装置２８は、本体基部２の裏面に取り付けられたＣＰＵを含む制御基板（図示せず）によってそれぞれの作動が制御される。ＣＰＵは、発射ハンドル２３が回動されたときに入力される操作信号に応答して球発射装置２８及び球送り装置２６を作動させる。
【００１５】
球通路２４は、図２及び図３に示すように、球受皿２２の他端部から、球受皿２２の下方に位置する球送り装置２６へ向かって延びるように設けられた一対のガイドレール（棒状部材）３１ａ，３１ｂから構成される。これらのガイドレール３１ａ，３１ｂは、球受皿２２と球送り装置２６との間に位置し、パチンコ球２１を両側から支持することが可能な一定の隙間を置いて互いに平行に位置し、且つ球受皿２２から送られてきたパチンコ球を球送り装置２６へ流下させる傾斜を持って配設されている。これによって、パチンコ球２１が球通路２４を通過するとき、パチンコ球２１に付着していた異物がガイドレール３１ａ，３１ｂとの接触によって離脱し、落下する。また、球受皿２２から水分等の液体が侵入してきた場合でも、球通路２４がガイドレール３１ａ，３１ｂから構成されているため、侵入してきた液体が球送り装置２６へ到達する前に落下する。なお、本実施形態では、ガイドレール３１ａ，３１ｂとしては、パチンコ球２１の大きさに対して直径の細い円柱形状のものを使用している。
【００１６】
さらに、ガイドレール３１ａ，３１ｂの下方には、異物回収部材３２が設けられている。異物回収部材３２は、ガイドレール３１ａ，３１ｂから落下する異物を受け止めて回収する。なお、本実施形態では、異物回収部材３２は箱状に形成されているため、ガイドレール３１ａ，３１ｂから落下した異物や液を確実に受け止めて、内部に収容することができる。なお、異物回収部材３２の形状は、箱状に限らず、ガイドレール３１ａ，３１ｂから落下する異物や液体を受け止めることができる形状であればよい。
【００１７】
球送り装置２６は、内部に設けられた圧電板（図示せず）などの動作によってパチンコ球を一球ずつ送り出す周知構成のものであり、流下してきたパチンコ球２１を内部に受け入れる受入口２６ａと、内部に受け入れたパチンコ球２１を一球ずつ打出し位置に向けて送り出す送出し口２６ｂを備えている。また、送出し口２６ｂの下部には、下方に向けて傾斜するガイド板２６ｃが設けられており、送出し口２６ｂから送り出されたパチンコ球２１を打出し位置へ案内する。
【００１８】
また、ガイドレール３１ａ，３１ｂの下方には、スライドレール３３が設けられている。スライドレール３３は、図４に示すうように、一対の円柱部３３ａ，３３ｂと、これらを連結する連結部３３ｃとからなり、円柱部３３ａ，３３ｂは、ガイドレール３１ａ，３１ｂと略同じ直径の円柱形状に形成されている。スライドレール３３は、球送り装置２６の受入口２６ａと、ガイドレール３１ａ，３１ｂとの隙間を露呈させる排出位置と、隙間を塞ぐ通常位置との間で移動自在に設けられている。
【００１９】
通常時、スライドレール３３は通常位置にあり、ガイドレール３１ａ，３１ｂと同様にパチンコ球２１を流下させて受入口２６ａに導く（図５（Ａ）に示す状態）。そして、受入口２６ａ付近で球詰まりが発生したときは、手動によってスライドレール３３を通常位置から排出位置に移動させると隙間が露呈し、受入口２６ａ付近に詰まっていたパチンコ球２１を離脱させ、落下させることができる（図５（Ｂ）に示す状態）。また、スライドレール３３の下方には排出通路３４が設けられており、落下したパチンコ球を受け止めて外部に排出する。
【００２０】
上記構成の作用について説明する。球受皿２２に貯留されたパチンコ球２１は、球通路２４へ向かって転動し、ガイドレール３１ａ，３１ｂを流下して球送り装置２４へと送り込まれる。このとき、上述したように、パチンコ球２１に付着した異物が離脱して落下し、異物回収部材３２によって受け止められる。よって、パチンコ球２１に付着した塵埃や水分などの異物を取り除いて回収することが可能となり、また異物が付着したままパチンコ球２１が球送り装置２６へ送り込まれることを防止することができるので、球送り装置２６、及び発射装置２８における異物の詰まりを防ぎ、パチンコ球２１の発射間欠を防止することができる。また、球受皿２２から侵入してきた水分等の液体を、ガイドレール３１ａ，３１ｂの隙間から落下させることができるので、球送り装置２６や、その先の球発射装置２８への液体の侵入を防止することが可能であり、精密部品や複雑な機構への影響を防ぐことができる。さらにまた、ガイドレール３１ａ，３１ｂから落下した異物や、球受皿２２から侵入してきた液体は、下方に位置する異物回収部材３２によって回収されるため、パチンコ機１に設けられた他の装置に影響を与えることを防ぐことができる。
【００２１】
なお、上記実施形態においては、ガイドレールの下方にスライドレールを設け、スライドレールを移動させることによって球詰まりを解消させる構成としているが、本発明はこれに限らず、図６に示すように、ガイドレール３１ａ，３１ｂのうち、一方のガイドレール３１ｂをパチンコ球２１の流下方向と直交する方向にスライド自在とし、パチンコ球２１を両側から支持することが可能な一定の隙間を置いて互いに平行に配置された通常位置（図６（Ａ）に示す状態）と、この通常位置よりも間隔を拡大した排出位置（図６（Ｂ）に示す状態）との間で移動させるようにしてもよい。なお、この場合、ガイドレール３１ａ，３１ｂは、球送り装置２６の受入口２６ａまで到達するように配置する。また、ガイドレール３１ａ，３１ｂの一方ではなく、両方ともスライド自在としてもよい。そして、球詰まりが発生したときは、手動によってガイドレール３１ｂを通常位置から排出位置に移動させるとガイドレール同士の間隔が拡大し、詰まっていたパチンコ球を離脱させ、落下させることができる。
【００２２】
また、上記実施形態では、ガイドレール３１ａ，３１ｂは、固定された状態で設けられているが、これに限らず、図７に示すように、両端部に軸受け４１，４２を設け、この軸受け４１，４２に対してガイドレール３１ａ，３１ｂが、流下方向と略並行な中心軸まわりに回転自在に支持された構成としてもよい。このような構成とすることで、パチンコ球２１が流下するときの接触でガイドレール３１ａ，３１ｂが回転する。よって、ガイドレール３１ａ，３１ｂは、パチンコ球２１が流下される毎に、異なる部分でパチンコ球２１と接触することになるため、パチンコ球２１に付着した異物をさらに確実に取り除くことができる。
【図面の簡単な説明】
【００２３】
【図１】パチンコ機の正面側斜視図である。
【図２】受皿及び球通路の配置を示す平面図である。
【図３】下扉を背面側から視た斜視図である。
【図４】ガイドレール及び球送り装置周辺の構成を示す斜視図である。
【図５】ガイドレール及び球送り装置周辺の動作を示す側面図である。
【図６】図４に示すものとは別の実施例のガイドレール周辺の構成を示す平面図である。
【図７】図４、図６に示すものとは別の実施例のガイドレール及び球送り装置周辺の構成を示す斜視図である。
【符号の説明】
【００２４】
１  パチンコ機
２１  パチンコ球
２２  球受皿
２４  球通路
２６  球送り装置
３１ａ，３１ｂ  ガイドレール（棒状部材）
３２  異物受け部材
【図１】
2009082218.tif 000003
【図２】
2009082218.tif 000004
【図３】
2009082218.tif 000005
【図４】
2009082218.tif 000006
【図５】
2009082218.tif 000007
【図６】
2009082218.tif 000008
【図７】
2009082218.tif 000009